(57)【要約】【課題】幼児を連れた買物客が、幼児を退屈させずに、楽しく買物をすることができる幼児用座席付ショッピングカートを提供する。【解決手段】  この幼児用座席付ショッピングカートは、籠支持枠２３の後部に位置する手押し枠体２２側に、座部２５と背もたれ部２６が折り畳み可能に設けられ、幼児が座部２５に使用者の側を向いて座って使用される幼児用座席２４を備える。手押し枠体２２の上部水平部２２ａに自動車ハンドル玩具１が、座部２５に着座した幼児が触れて遊ぶことが可能な形態で、取り付けられる。【選択図】図１
2010076507.tif 000002
【特許請求の範囲】
【請求項１】
籠支持枠の後部に位置する手押し枠体側に、座部と背もたれ部が折り畳み可能に設けられ、幼児が該座部に使用者の側を向いて座って使用される幼児用座席を備えた幼児用座席付ショッピングカートにおいて、
前記手押し枠体の上部水平部または上部水平部の近傍に玩具が、前記座部に着座した幼児が触れて遊ぶことが可能な形態で、取り付けられたことを特徴とする幼児用座席付ショッピングカート。
【請求項２】
前記玩具には、前記手押し枠体の上部水平部に嵌合して保持される玩具本体と、該玩具本体に対し摺動可能に取り付けられた補助枠用係止部とが設けられ、該玩具本体に対し該補助枠用係止部を移動させて固定する固定調整ねじが設けられ、該手押し枠体の該上部水平部と平行に固定された補助枠に該補助枠用係止部を係止させ、該玩具本体と該補助枠用係止部との間でショッピングカートの該手押し枠体の該上部水平部と該補助枠間を挟持して該玩具が取り付けられることを特徴とする請求項１記載の幼児用座席付ショッピングカート。
【請求項３】
前記玩具本体上に前記玩具として自動車ハンドル玩具が回転可能に取り付けられ、回転可能に支持されたハンドル軸に歯車部が取り付けられ、カタカタ音発生片がその先端部を該歯車部に接触させて固定部に取り付けられたことを特徴とする請求項２記載の幼児用座席付ショッピングカート。
【発明の詳細な説明】
【技術分野】
【０００１】
本発明は、幼児用座席を籠支持枠の後部（手押し枠体側）に設けた幼児用座席付ショッピングカートに関する。
【背景技術】
【０００２】
スーパーマーケットなどの大型店舗には幼児を連れた買い物客が数多く来店するため、そのような店舗には幼児用座席付きのショッピングカートが幼児連れの買い物客のために用意されている。
【０００３】
本出願人は、従来、この種の幼児用座席付ショッピングカートを下記特許文献１により提案した。この幼児用座席付ショッピングカートは、籠支持枠の後部つまり手押し枠体側に、座部と背もたれ部が折り畳み可能に設けられ、幼児は、その座部に使用者の側を向いて座り、使用者が持つ手押し枠体やそれと平行な支持棒を幼児が把持して使用される。
【特許文献１】実用新案登録第３０２８７３６号公報
【発明の開示】
【発明が解決しようとする課題】
【０００４】
しかし、従来のこの種の幼児用座席付ショッピングカートは、幼児にとっては、ショッピングカートの籠支持枠の後部つまり手押し枠体側に設けた幼児用座席に座るだけであるため、直ぐに退屈し、ショッピングカートから降りたい、と愚図り出したりして、買物をする使用者には、幼児を連れての買物が難しいという課題があった。
【０００５】
本発明は、上述の課題を解決するものであり、幼児を連れた買物客が、幼児を退屈させずに、楽しく買物をすることができる幼児用座席付ショッピングカートを提供することを目的とする。
【課題を解決するための手段】
【０００６】
本発明に係る請求項１の幼児用座席付ショッピングカートは、籠支持枠の後部に位置する手押し枠体側に、座部と背もたれ部が折り畳み可能に設けられ、幼児が該座部に使用者の側を向いて座って使用される幼児用座席を備えた幼児用座席付ショッピングカートにおいて、前記手押し枠体の上部水平部または上部水平部の近傍に玩具が、前記座部に着座した幼児が触れて遊ぶことが可能な形態で、取り付けられたことを特徴とする。
【０００７】
この発明によれば、ショッピングカートの籠支持枠の後部に設けた幼児用座席の座部に、幼児が手押し枠体側を向いて着座し、着座した幼児は手押し枠体に取り付けた玩具に触れて遊ぶことができるので、使用者が買物をしている間、幼児には退屈させず、使用者は幼児を連れて買物を楽に行なうことができる。また、玩具は手押し枠体の上部水平部に取り付けられるので、ショッピングカートをネスティングする際の障害とはならず、不使用時には、通常のショッピングカートと同様に効率よくネスティングを行なって、収納時の占有スペースが増大することはない。
【０００８】
また、請求項２の発明は、請求項１の幼児用座席付ショッピングカートにおいて、上記玩具には、上記手押し枠体の上部水平部に嵌合して保持される玩具本体と、該玩具本体に対し摺動可能に取り付けられた補助枠用係止部とが設けられ、該玩具本体に対し該補助枠用係止部を移動させて固定する固定調整ねじが設けられ、該手押し枠体の上部水平部と平行に固定された補助枠に該補助枠用係止部を係止させ、該玩具本体と該補助枠用係止部との間でショッピングカートの手押し枠体の上部水平部と補助枠間を挟持して該玩具が取り付けられることを特徴とする。
【０００９】
この発明によれば、玩具をショッピングカートの手押し枠体上に確実に且つ簡単に取り付けることができ、しかも、大きさや形状が異なる既製のショッピングカートであっても、手押し枠体と補助枠を有するカートであれば、補助枠用係止部の位置を調整して、玩具を取付可能とし、汎用性を持たせることができる。
【００１０】
また、請求項３の発明は、請求項１の幼児用座席付ショッピングカートにおいて、上記玩具本体上に上記玩具として自動車ハンドル玩具が回転可能に取り付けられ、回転可能に支持されたハンドル軸に歯車部が取り付けられ、カタカタ音発生片がその先端部を該歯車部に接触させて固定部に取り付けられたことを特徴とする。
【００１１】
この発明によれば、幼児用座席に着座した幼児は、自動車ハンドル玩具を回して遊ぶことができ、しかも、その自動車ハンドル玩具を回したときには、カタカタ音が発生するため、幼児は飽きることなく、楽しく遊ぶことができる。
【発明の効果】
【００１２】
このように、本発明の幼児用座席付ショッピングカートによれば、幼児を連れた買物客が幼児を幼児用座席に着座させれば、幼児は、手押し枠体に取り付けた玩具に触れて遊ぶことができるので、使用者が買物をしている間、幼児には退屈させず、使用者は幼児を連れて買物を楽に行なうことができる。
【発明を実施するための最良の形態】
【００１３】
以下、本発明の一実施形態を図面に基づいて説明する。図１は幼児用座席付ショッピングカートの左側面図を示し、図２はショッピングカートに取り付けられる自動車ハンドル玩具１の正面図を示している。図３は自動車ハンドル玩具１の右側面図を示し、図４はカバーを取り外した状態の自動車ハンドル玩具１の背面側からの斜視図を示し、図５は同玩具の正面側からの斜視図を示している。
【００１４】
幼児用座席付ショッピングカートは、図１に示すように、台車部２０がパイプフレームにより平面を略台形状に形成され、台車部２０の底部にはキャスター２１が取り付けられる。台車部２０の後部には門形の手押し枠体２２が立設され、手押し枠体２２の上部から前方に突き出すように、籠支持枠２３が設けられている。なお、ここで、前方とは図１における右側つまりカートの前方を示し、後方とは図１の左側つまりカートの後方を示す。
【００１５】
籠支持枠２３には買物籠を収納するように、箱型の籠収納部２３ａが網状金属線材によってその底部と周囲を囲うように形成されている。手押し枠体２２は、図１に示すように、籠支持枠２３を取り付けた中間部から斜め後方に曲げられ、手押し枠体２２の上端部は、使用者が把持しやすいように上部水平部２２ａとなっている。上部水平部２２ａの直ぐ斜め下側に補助枠２９が上部水平部２２ａと平行に取り付けられている。この上部水平部２２ａと補助枠２９には後述の自動車ハンドル玩具１が、上部水平部２２ａと補助枠２９を挟むように、前方に向けて取り付けられる。
【００１６】
籠支持枠２３の後部つまり手押し枠体２２側で籠収納部２３ａの後部側に、幼児用座席２４が設けられている。幼児用座席２４は、籠支持枠２３の後部で籠収納部２３ａの後側面に、座部２５と背もたれ部２６が折り畳み可能に設けられ、使用しない場合は座部２５と背もたれ部２６が籠収納部２３ａの後側面に収納され、使用時には背もたれ部２６を前方に引き出すように回動させるように構成される。幼児は幼児用座席２４の座部２５に使用者の側つまり後方を向いて着座するようになっている。
【００１７】
すなわち、籠収納部２３ａの後側面は、座支持枠２７がその下端部を籠支持枠２３の後下端部に、回動可能に枢着され、座支持枠２７を籠収納部２３ａの後側面から前方に押し出すように回動させることにより、籠収納部２３ａの後側面に幼児の足を出すための開口部が形成され、座支持枠２７の内側が背もたれ部２６を構成するようになっている。
【００１８】
幼児用座席２４の座部２５は、座支持枠２７を着座可能状態に開いたとき、その動きに連動して後側面から略水平に開くように、座部２５の端部が籠収納部２３ａの後側面に回動可能に枢支されている。さらに、座支持枠２７の上部には、上部支持枠２８が籠収納部２３ａの後側面との間に掛けられ、座支持枠２７を前方に開いたとき、座支持枠２７を所定の位置で支持するようになっている。
【００１９】
これにより、幼児用座席２４を使用する場合には、図１のように、座支持枠２７を前方に開いて座部２５を略水平状態とする。図６のように、幼児は、その座部２５に、使用者の側つまり後方を向いて着座し、籠収納部２３ａの後側面の開口部から、幼児の足を出して着座する構造である。
【００２０】
さらに、手押し枠体２２の上部水平部２２ａには、幼児用座席２４に着座した幼児がその手で触れて遊ぶことができるように、自動車ハンドル玩具１が前方を向けて取り付けられている。自動車ハンドル玩具１は、図４，５に示すように、玩具本体２が金属板をＵ字状に曲折して形成され、その玩具本体２の上に軸受部５が斜め上方に傾斜して取り付けられる。
【００２１】
軸受部５の上部内には、ハンドル軸４が回転自在に、前方斜め上向きに傾斜して支持され、ハンドル軸４の末端に歯車部６が取り付けられ、ハンドル軸４の斜め上部の先端部に、ハンドル３が取り付けられている。歯車部６には弾性を有した帯板状のカタカタ音発生片７が接触して配設され、歯車部６の回転時に音を発生するように、カタカタ音発生片７の基部は固定部の玩具本体２側に取り付けられている。これにより、幼児がハンドル３を持って回したとき、カタカタ音発生片７の先端が歯車部６に接触して、カタカタと音が生じるようになっている。
【００２２】
玩具本体２は、ショッピングカートの手押し枠体２２の上部水平部２２ａに嵌め込むように略Ｕ字状に曲げて形成され、その下部には、摺動部２ａが設けられ、その摺動部２ａに補助枠用係止部８が摺動可能に取り付けられる。補助枠用係止部８はその先端部がショッピングカートの補助枠２９に係止されるように略Ｕ字状に曲げて形成される。
【００２３】
補助枠２９は、手押し枠体２２の上部水平部２２ａの斜め直ぐ下側に、上部水平部２２ａと平行に固定された枠体であり、自動車ハンドル玩具１は、この補助枠２９と上部水平部２２ａ間を、玩具本体２と補助枠用係止部８との間で挟むようにして固定される。このために、玩具本体２と補助枠用係止部８間には、固定調整ねじ９がその回転によってその間隔を調整可能に設けられ、固定調整ねじ９の回転により補助枠用係止部８が玩具本体２に対し接近または離間するようになっている。
【００２４】
玩具本体２には、その上部から後部にかけて覆うように、上カバー部１０が取り付けられ、その前下部には下カバー部１１が前下部を覆って取り付けられる。補助枠用係止部８の先端は下カバー部１１の下部前方に突出するように下カバー部１１は取り付けられる。上カバー部１０、下カバー部１１及びハンドル３は着色した合成樹脂により成形し、カラフルに形成することができる。
【００２５】
上記構成の自動車ハンドル玩具１は、図１，６に示すように、ショッピングカートの手押し枠体２２の上部水平部２２ａに取り付けられる。取り付ける際、先ず、下カバー部１１を外した状態で、玩具本体２のＵ字状部分を上部水平部２２ａに嵌め、補助枠用係止部８の先端のＵ字状部分を補助枠２９に嵌め、固定調整ねじ９を回して、玩具本体２と補助枠用係止部８の間を狭め、上部水平部２２ａと補助枠２９を玩具本体２と補助枠用係止部８で挟み込み締付けるように固定する。
【００２６】
これにより、特定の形状、大きさの幼児用座席付ショッピングカートだけではなく、上部水平部２２ａと補助枠２９があれば、各種の形状、大きさの幼児用座席付ショッピングカートに対し、この自動車ハンドル玩具１を取り付けることができる。
【００２７】
図６に示すように、使用者は、幼児用座席付ショッピングカートを使用する際、ショッピングカートの籠収納部２３ａの後部に設けた幼児用座席２４の座部２５に、幼児を、手押し枠体２２の上部水平部２２ａに取り付けた自動車ハンドル玩具１を向いて着座させる。これにより、座部２５に着座した幼児は手押し枠体２２の上部水平部２２ａに取り付けた自動車ハンドル玩具１のハンドル３に触れて遊ぶことができる。
【００２８】
特に、幼児がハンドル３を回すと、ハンドル軸４の歯車部６がカタカタ音発生片７に当たって、カタカタと音を発するので、使用者が買物をしている間、幼児には退屈させず、使用者は幼児を連れて買物を楽に行なうことができる。
【００２９】
この種のショッピングカートは使用しない場合、店舗の隅にネスティングして収納されるが、自動車ハンドル玩具１は手押し枠体２２の上部の上部水平部２２ａに取り付けられるので、ショッピングカートをネスティングする際の障害とはならず、不使用時には、通常のショッピングカートと同様に効率よくネスティングを行なって、収納時の占有スペースを増大させることはない。
【００３０】
なお、上記実施形態では、玩具として自動車ハンドル玩具１を取り付けたが、その他に、幼児が触れて遊べる玩具であれば、そろばん玉を動かして遊ぶそろばん玩具などを取り付けることもできる。
【００３１】
また、上記実施形態では、自動車ハンドル玩具１を補助枠と上部水平部間に挟持させるように取り付けたが、手押し枠体の上部水平部に外嵌させ、固定ねじでその上部水平部を締め付ける形態で、玩具本体を上部水平部に取り付けることもできる。
【００３２】
また、玩具は、手押し枠体の上部水平部に取り付けるほか、上部水平部の近傍に、玩具本体を手押し枠体の上部両側枠部に掛け渡すように取り付けることもできる。
【図面の簡単な説明】
【００３３】
【図１】本発明の一実施形態を示す幼児用座席付ショッピングカートの左側面図である。
【図２】ショッピングカートに取り付けられる自動車ハンドル玩具の正面図である。
【図３】同自動車ハンドル玩具の右側面図である。
【図４】カバーを取り外した状態の自動車ハンドル玩具の背面側からの斜視図である。
【図５】カバーを取り外した状態の自動車ハンドル玩具の正面側からの斜視図である。
【図６】使用状態を示す幼児用座席付ショッピングカートの左側面図である。
【符号の説明】
【００３４】
１      自動車ハンドル玩具
２      玩具本体
３      ハンドル
６      歯車部
７      カタカタ音発生片
８      補助枠用係止部
２０    台車部
２１    キャスター
２２    手押し枠体
２２ａ  上部水平部
２３    籠支持枠
２３ａ  籠収納部
２４    幼児用座席
２５    座部
２６    背もたれ部
【図１】
2010076507.tif 000003
【図２】
2010076507.tif 000004
【図３】
2010076507.tif 000005
【図４】
2010076507.tif 000006
【図５】
2010076507.tif 000007
【図６】
2010076507.tif 000008